(57)【要約】【課題】画像読取媒体に埋め込まれた電子タグの情報を確実に読み取ることができる画像読取装置を提供すること。【解決手段】画像読取装置１−１は、光源４およびスキャンセンサ６が搭載され、カード１００が載置された載置面２に対して移動するキャリッジ３と、スキャンセンサ６が行った載置面２の全領域の走査に基づいて全読取画像データを生成する画像データ生成部１３４と、全読取画像データからカード１００の載置面２における位置を特定する位置特定部１３５と、キャリッジ３に設けられ、カード１００に埋め込まれた電子タグ１０２の情報を受信する受信コイル９と、受信した信号に基づいて電子タグ１０２の情報を読み取るタグ読取部１３７とを備える。タグ読取部１３７は、特定された載置面２におけるカード１００の位置に基づいて、受信コイル９がキャリッジ３によりカード１００と対向する位置まで移動した後に、電子タグ１０２の情報の読み取りを行う。【選択図】        図１
2008227933.tif 000002
【特許請求の範囲】
【請求項１】
載置面に載置された画像読取媒体の読取対象面に向かって光を照射する光源と、
少なくとも前記光源が搭載され、前記載置面に対して移動するキャリッジと、
前記キャリッジの前記載置面に対する移動により、当該載置面の全領域を走査するスキャンセンサと、
前記走査に基づいて全読取画像データを生成する画像データ生成手段と、
前記生成された全読取画像データから前記載置された画像読取媒体の前記載置面における位置を特定する位置特定手段と、
前記キャリッジに設けられ、前記画像読取媒体に埋め込まれた電子タグの情報を受信する受信コイルと、
前記受信コイルが受信した信号に基づいて前記電子タグの情報を読み取るタグ読取手段と、
を備え、
前記タグ読取手段は、前記位置特定手段により特定された前記載置面における画像読取媒体の位置に基づいて、前記受信コイルが前記キャリッジにより前記画像読取媒体と対向する位置まで移動した後に、前記電子タグの情報の読み取りを行うことを特徴とする画像読取装置。
【請求項２】
前記コイルは、前記キャリッジの外周面に設けられることを特徴とする請求項１に記載の画像読取装置。
【請求項３】
載置面に載置された画像読取媒体の読取対象面に向かって光を照射する光源と、
前記載置面を覆うカバーと、
少なくとも前記光源が搭載され、前記載置面に対して移動するキャリッジと、
前記キャリッジの前記載置面に対する移動により、当該載置面の全領域を走査するスキャンセンサと、
前記走査に基づいて全読取画像データを生成する画像データ生成手段と、
前記カバーに設けられ、前記画像読取媒体に埋め込まれた電子タグの情報を受信する複数個の受信コイルと、
前記各受信コイルが受信した信号に基づいて前記電子タグの情報を読み取るタグ読取手段と、
を備えることを特徴とする画像読取装置。
【請求項４】
前記タグ読取手段は、前記各受信コイルのすべてが受信した信号のうち、前記信号の出力が大きい前記受信コイルが受信した信号に基づいて前記電子タグの情報を読み取ることを特徴とする請求項３に記載の画像読取装置。
【請求項５】
前記生成された全読取画像データから前記載置された画像読取媒体の前記載置面における位置を特定する位置特定手段をさらに備え、
前記タグ読取手段は、前記位置特定手段により特定された前記載置面における画像読取媒体の位置に基づいて、前記各受信コイルのうち前記画像読取媒体と対向する受信コイルが受信した信号に基づいて前記電子タグの情報の読み取りを行うことを特徴とする画像読取装置。
【発明の詳細な説明】
【技術分野】
【０００１】
本発明は、画像読取装置に関し、さらに詳しくは、スキャンセンサにより、画像読取媒体の読取対象面を読み取るイメージスキャナ、複写機、ファクシミリ、文字認識装置などを含む画像読取装置に関するものである。
【背景技術】
【０００２】
従来の画像読取装置は、スキャンセンサが載置面の全領域を走査し、走査に基づいて載置面の全領域に対応する全読取画像データを生成するものである。ここで、載置面に画像読取媒体が載置されている場合、画像読取媒体の読取対象面に向かって光源から照射された光の反射光がスキャンセンサに受光され、全読取画像データに画像読取面に対応した読取対象面データが含まれることとなる。これにより、画像読取装置は、載置面に載置された画像読取媒体の画像読取面を読み取るものである。また、画像読取装置は、必要に応じて全読取画像データから読取対象面画像データのみを抽出するクロッピングの機能を備えるものである。
【０００３】
ところで、近年、市場では、ＲＦＩＤ（Radio Frequency Identification）の技術が提案されている。ＲＦＩＤは、電磁波あるいは電波を用いた近距離の無線通信により、情報をやりとりするものである。例えば、運転免許証に電子タグが埋め込まれている場合、タグリーダが電磁波あるいは電波を用いた近距離の無線通信により電子タグと通信し、電子タグに記録された情報、例えば個人を特定する情報などを読み取ることができる。
【０００４】
上記運転免許証に記載されている情報、すなわち画像読取媒体の画像読取面および運転免許証である画像読取媒体に埋め込まれている電子タグの情報を１回の操作で読み取ることが要望されている。ここで、タグリーダは、電子タグの情報を受信する受信コイルが受信した信号に基づいて、画像読取媒体に埋め込まれている電子タグの情報を読み取ることとなる。従って、画像読取装置により画像読取媒体の画像読取面および画像読取媒体に埋め込まれている電子タグの情報を１回の操作で読み取るためには、受信コイルを画像読取媒体に埋め込まれている電子タグに対向して、画像読取装置に設けることとなる。受信コイルを画像読取装置に設ける技術としては、例えば特許文献１に示すように、受信コイルを載置面を囲うように本体筐体に設ける、受信コイルを載置面を囲うようにカバーに設ける、あるいは受信コイルを載置面に対して移動するキャリッジに設けるなどが提案されている。
【０００５】
【特許文献１】特開２００５−１８２１７０号公報
【発明の開示】
【発明が解決しようとする課題】
【０００６】
ここで、電子タグには、パッシブタグとアクティブタグとがある。パッシブタグは、タグリーダから送信された電波により動作するタグであり、動作するための電源を内蔵する必要がないが、通信可能距離が短いため、受信コイルとの距離が近くないと受信コイルが信号を受信することができない。一方、アクティブタグは、内蔵された電源により動作するタグであり、通信可能距離が長いため、受信コイルとの距離が長くても受信コイルが信号受信することができる。
【０００７】
画像読取媒体の大きさや、画像読取媒体に対する電子タグの位置は、種々考えられる。従って、電子タグの載置面に対する位置は、画像読取媒体の載置面に対する載置位置や、画像読取媒体に対する電子タグの位置に応じて変化し、固定位置とならず任意位置となる。つまり、画像読取媒体に埋め込まれた電子タグがパッシブタグであると、受信コイルを本体筐体に載置面を囲うように設ける、あるいは受信コイルをカバーに載置面を囲うように設けるなどの特許文献１に示す従来技術では、電子タグと受信コイルとの通信距離が変化し、特に載置面に対する電子タグの位置が載置面の中央部に位置すると通信距離が長くなり、受信コイルの受信感度が低下する。これにより、受信コイルが受信した信号の出力が低く、タグリーダが電子タグの情報を読み取ることができない虞があった。
【０００８】
また、特許文献１に示す従来技術には、受信コイルを載置面に対して移動するキャリッジに設けることのみが開示されており、画像読取媒体の読取対象面の読み取りと、電子タグの情報の読み取りとの連動した実際の動作が開示されておらず、タグリーダが電子タグの情報を確実に読み取ることができない虞がある。
【０００９】
本発明は、上記に鑑みてなされたものであって、電子タグの情報を確実に読み取ることができる画像読取装置を提供することを目的とする。
【課題を解決するための手段】
【００１０】
上述した課題を解決し、目的を達成するために、本発明では、載置面に載置された画像読取媒体の読取対象面に向かって光を照射する光源と、少なくとも光源が搭載され、載置面に対して移動するキャリッジと、キャリッジの載置面に対する移動により、載置面の全領域を走査するスキャンセンサと、走査に基づいて全読取画像データを生成する画像データ生成手段と、生成された全読取画像データから前記載置された画像読取媒体の載置面における位置を特定する位置特定手段と、キャリッジに設けられ、画像読取媒体に埋め込まれた電子タグの情報を受信する受信コイルと、受信コイルが受信した信号に基づいて前記電子タグの情報を読み取るタグ読取手段と、を備え、タグ読取手段は、位置特定手段により特定された載置面における画像読取媒体の位置に基づいて、受信コイルがキャリッジにより画像読取媒体と対向する位置まで移動した後に、電子タグの情報の読み取りを行うことを特徴とする。
【００１１】
本発明によれば、キャリッジは、位置特定手段により特定された画像読取媒体の載置面における位置に基づいて、キャリッジに設けられた受信コイルを画像読取媒体と対向する位置まで移動する。そして、タグ読取手段は、画像読取媒体と対向する位置で受信コイルが受信した信号に基づいて電子タグの情報の読み取りを行う。従って、受信コイルは、例えば載置面よりも狭い画像読取媒体に埋め込まれた電子タグの情報に基づいた信号を受信する場合、電子タグに接近した状態で電子タグの情報に基づいた信号を受信することができる。これにより、受信コイルの受信感度が低下することを抑制できるので、受信コイルが受信した電子タグの情報に基づいた信号の出力が低くなることを抑制でき、画像読取媒体の載置面における位置に拘わらず、タグ読取手段が電子タグの情報を確実に読み取ることができる。
【００１２】
また、本発明では、上記画像読取装置において、受信コイルは、キャリッジの外周面を囲って設けられることを特徴とする。
【００１３】
本発明によれば、キャリッジの幅が載置面の幅よりも広いので、受信コイルをキャリッジの外周面を囲って設けることで、載置面における電子タグの載置面の幅方向に対する位置に拘わらず、受信コイルが信号を確実に受信することができる。
【００１４】
また、本発明では、載置面に載置された画像読取媒体の読取対象面に向かって光を照射する光源と、載置面を覆うカバーと、少なくとも光源が搭載され、載置面に対して移動するキャリッジと、キャリッジの載置面に対する移動により、載置面の全領域を走査するスキャンセンサと、走査に基づいて全読取画像データを生成する画像データ生成手段と、カバーに設けられ、画像読取媒体に埋め込まれた電子タグの情報を受信する複数個の受信コイルと、各受信コイルが受信した信号に基づいて電子タグの情報を読み取るタグ読取手段と、を備えることを特徴とする。
【００１５】
また、本発明では、上記画像読取装置において、タグ読取手段は、各受信コイルのすべてが受信した信号のうち、信号の出力が大きい受信コイルが受信した信号に基づいて電子タグの情報を読み取ることを特徴とする。
【００１６】
本発明によれば、各受信コイルと画像読取媒体に埋め込まれた電子タグとの通信距離が異なるため、各受信コイルが受信した信号の出力が異なるが、各受信コイルが受信した信号のうち、信号の出力が大きい受信コイルが受信した信号に基づいてタグ読取手段が電子タグの情報の読み取りを行う。従って、タグ読取手段は、例えば載置面よりも狭い画像読取媒体に埋め込まれた電子タグの情報を読み取る場合でも、電子タグに近接した受信コイルが受信した信号に基づいて電子タグの情報の読み取りを行うことができる。これにより、各受信コイルのうち、受信感度が低い、すなわち受信した信号の出力が低い受信コイルが受信した信号に基づいてタグ読取手段が電子タグの情報の読み取りを行わないので、画像読取媒体の載置面における位置に拘わらず、タグ読取手段が電子タグの情報を確実に読み取ることができる。
【００１７】
また、本発明では、上記画像読取装置において、生成された全読取画像データから載置された画像読取媒体の載置面における位置を特定する位置特定手段をさらに備え、タグ読取手段は、位置特定手段により特定された載置面における画像読取媒体の位置に基づいて、各受信コイルのうち画像読取媒体と対向する受信コイルが受信した信号に基づいて電子タグの情報の読み取りを行うことを特徴とする。
【００１８】
本発明よれば、タグ読取手段は、位置特定手段により特定された画像読取媒体の載置面における位置に基づいて、各受信コイルのうち画像読取媒体と対向する受信コイルが受信した信号に基づいて電子タグの情報の読み取りを行う。従って、例えば載置面よりも狭い画像読取媒体に埋め込まれた電子タグの情報を読み取る場合、電子タグに近接した受信コイルが受信した信号に基づいてタグ読取手段が電子タグの情報の読み取りを行う。従って、タグ読取手段は、各受信コイルが受信した信号のうち、信号の出力が大きい受信コイルが受信した信号に基づいて電子タグの情報の読み取りを行うことができる。これにより、各受信コイルのうち、受信感度が低い、すなわち受信した信号の出力が低い受信コイルが受信した信号に基づいてタグ読取手段が電子タグの情報の読み取りを行わないので、画像読取媒体の載置面における位置に拘わらず、タグリーダが電子タグの情報を確実に読み取ることができる。
【発明の効果】
【００１９】
本発明にかかる画像読取装置は、タグ読取手段が電子タグの情報を確実に読み取ることができるという効果を奏する。
【発明を実施するための最良の形態】
【００２０】
以下、本発明につき図面を参照しつつ詳細に説明する。なお、下記の実施の形態により本発明が限定されるものではない。また、下記実施の形態における構成要素には、当業者が容易に想定できるもの或いは実質的に同一のものが含まれる。また、下記の実施の形態では、画像読取装置としてイメージスキャナについて説明するが本発明はこれに限定されるものではなく、複写機、ファクシミリ、文字認識装置などの画像読取媒体の読取対象面を読み取るものであればいずれであっても良い。なお、下記の実施の形態では、電子タグが埋め込まれた画像読取媒体として、パッシブタグの電子タグが埋め込まれたカードを用いるが本発明はこれに限定されるものではなく、電子タグが埋め込まれた画像読取媒体であれば、紙などのいずれの媒体であっても良い。
【００２１】
［実施の形態１］
図１は、実施の形態１にかかる画像読取装置の全体構成例を示す図である。図２は、実施の形態１にかかる画像読取装置の構成例を示す図である。図１および図２に示すように、実施の形態１にかかる画像読取装置１−１は、載置面２と、キャリッジ３と、光源４と、スキャンセンサ６と、送信コイル７と、送信駆動回路８と、受信コイル９と、受信回路１０と、モータ１１と、制御装置１３とにより構成されている。なお、５は、光源４を駆動する光源駆動回路である。また、１２は、モータ１１を駆動するモータ駆動回路である。また、１４は、載置面２を覆うカバーである。また、１５は、画像読取装置１−１と電気的に接続されたパーソナルコンピュータである。パーソナルコンピュータ１５には、入力装置１５１と出力装置１５２が備えられている。
【００２２】
ここで、画像読取媒体であるカード１００は、その大きさが載置面２よりも小さく形成されている。また、カード１００は、電子タグ１０２と、アンテナコイル１０３（図１および図２の点線）とが埋め込まれている。電子タグ１０２は、いわゆるＩＣチップであり、例えばカード１００を所有する個人を特定する情報が予め記憶されている。アンテナコイル１０３は、電子タグ１０２に接続されている。アンテナコイル１０３は、送信コイル７から送信された電波を受信すると共に、電子タグ１０２の情報を受信コイル９に送信するものである。
【００２３】
載置面２は、カード１００などの画像読取媒体を載置する面であり、ガラスなどの透明な材料で形成されている。載置面２は、画像読み取り装置１−１の本体筐体１６の上面に固定されている。ここで、カバー１４は、載置面２よりも大きく形成されており、図示しないヒンジなどの揺動手段により、本体筐体１６と対向した際に載置面２と対向するように、本体筐体１６に揺動自在に支持されている。従って、カバー１４は、載置面２と対向させる、すなわち閉じることで、載置面２の全領域を覆うこととなる。
【００２４】
キャリッジ３は、載置面２に対して移動するものである。キャリッジ３は、本体筐体１６の内部に配置されており、載置面２の一方向、実施の形態２では載置面２の長手方向（図１および図２の矢印Ａ方向に）に移動することで、載置面２の全領域と対向できるように、本体筐体１６に移動自在に支持されている。キャリッジ３は、長手方向の長さが載置面２のャリッジ３が移動する方向と直交する直交方向の長さよりも長くなるように形成されている。つまり、キャリッジ３の幅は、載置面２の幅よりも広く設定されている。キャリッジ３には、実施の形態１では、光源４およびスキャナセンサ６が搭載されている。従って、光源４およびスキャナセンサ６は、キャリッジ３とともに載置面２に対して移動することができ、載置面２の全領域と対向することができる。
【００２５】
光源４は、載置面２に向かって光を照射するものである。つまり、載置面２にカード１００が載置されている場合は、載置面２に載置されたカード１００の読取対象面１０１に向かって光を照射することとなる。光源４は、キャリッジ３に搭載され、載置面２にカード１００などの画像読取媒体が載置された場合に、載置面２を挟んでカード１００などの画像読取媒体と対向する。光源４は、図２に示すように、載置面２の幅方向にライン状に形成されるものであり、キャリッジ３が移動することで、載置面２の全領域に光を照射する。従って、載置面２にカード１００が載置されている場合は、カード１００の画像読取面１０１に向かって光を照射する。光源２の駆動は、光源駆動回路５により行われる。光源駆動回路５は、制御装置１３と接続されており、制御装置１３により制御される。従って、光源４による光の照射制御は、制御装置１３により行われる。
【００２６】
スキャンセンサ６は、載置面２の全領域を走査するものである。スキャンセンサ６は、キャリッジ３に搭載され、載置面２にカード１００などの画像読取媒体が載置された場合に、載置面２を挟んでカード１００などの画像読取媒体と対向する。スキャンセンサ６は、例えばＣＣＤ撮像素子を載置面２の幅方向にライン状に配列したものであり、キャリッジ３が移動することで、載置面２の全領域を走査する。従って、載置面２にカード１００が載置されている場合、スキャナセンサ６には、カード１００の画像読取面１０１で反射した光源２からの光、すなわち反射光が入射されるので、画像読取面１０１の情報を含む載置面２の全領域に対応した露光ごとの読取画像データが生成される。
【００２７】
なお、スキャンセンサ６は、制御装置１３と接続されており、制御装置１３により、例えば露光周期制御などが行われる。また、スキャンセンサ６は、図示しないＣＣＤ撮像素子が撮像した載置面２の全領域における情報をＲ，Ｇ、Ｂ各成分のアナログ画信号として出力し、図示しない増幅回路によりこのアナログ画信号の増幅や信号レベルの調整が行われ、図示しないＡ／Ｄ変換器によりアナログ画信号がデジタル画信号に変換され、露光ごとのデジタル画信号が制御装置１３に入力される。
【００２８】
送信コイル７は、信号および電力としての電波を送信するものである。送信コイル７は、キャリッジ３に設けられている。実施の形態１では、キャリッジ３の外周面にコイルを構成する銅線など電線が複数回巻かれることで、送信コイル７がキャリッジ３の外周面に設けられる。送信コイル７は、載置面２に向かって電波を送信するものである。ここで、載置面２にカード１００が載置された場合、カード１００に埋め込まれたアンテナ１０３が送信コイル７が送信した電波を受信し、受信された電波により電子タグ１０２が動作する。送信コイル７の駆動は、送信駆動回路８により行われる。送信駆動回路８は、制御装置１３と接続されており、制御装置１３により制御される。従って、送信コイル７による電波の送信制御は、制御装置１３により行われる。
【００２９】
受信コイル９は、受信コイル９に向かって送信された信号、すなわちカード１００の電子タグ１０２などの画像読取媒体に埋め込まれた電子タグの情報を受信するものである。受信コイル９は、キャリッジ３に設けられている。実施の形態１では、キャリッジ３の外周面にコイルを構成する銅線など電線が複数回巻かれることで、受信コイル９がキャリッジ３の外周面に設けられる。上述のように、キャリッジ３の幅が載置面２の幅よりも広いので、受信コイル９は、長手方向の長さが載置面２のキャリッジ３が移動する方向と直交する直交方向の長さよりも長くなる。つまり、受信コイル９の幅は、載置面２の幅よりも広く設定されている。従って、受信コイル９を幅が載置面２の幅よりも広いキャリッジ３の外周面を囲って設けるので、載置面２における電子タグ１０２の載置面２の幅方向に対する位置に拘わらず、アンテナ１０３により送信された電子タグ１０２の情報の信号を確実に受信することができる。
【００３０】
ここで、載置面２にカード１００が載置された場合、送信コイル７により送信された電波により駆動する電子タグ１０２は、アンテナ１０３により記憶されている情報に基づいた信号を送信するので、受信コイル９は、電子タグ１０３が送信した信号を受信することができる。なお、受信コイル９は、受信回路１０と接続されている。受信コイル９が受信した信号は、受信回路１０においてフィルタ処理や増幅処理などが行われる。受信回路１０は、制御装置１３と接続されており、フィルタ処理や増幅処理などが行われた受信コイル９が受信した信号が制御装置１３に入力される。
【００３１】
モータ１１は、キャリッジ３を載置面２に対して移動させるものである。モータ１１は、例えばステッピングモータであり、駆動がモータ駆動回路１２により行われる。モータ駆動回路１２は、制御装置１３と接続されており、制御装置１３により制御される。従って、モータ１１の駆動制御は、制御装置１３により行われる。つまり、モータ１１によりキャリッジ３の載置面２に対する移動は、制御装置１３により行われる。
【００３２】
制御装置１３は、画像読取装置１−１を制御するものであり、画像読取媒体の読取対象面、すなわちカード１００の読取対象面１０１を読み取りおよび画像読取媒体に埋め込まれた電子タグ、すなわちカード１００に埋め込まれた電子タグ１０２の情報を読み取りを行うものである。制御装置１３は、入出力部１３１と、処理部１３２と、記憶部１３３とで構成されている。制御装置１３には、上記パーソナルコンピュータ１５が接続されている。ここで、パーソナルコンピュータ１５の入力装置１５１は、入出力部１３１を介して、画像読取装置１−１によるカード１００の読み取りの開始指令や、データの入力を行うものである。なお、入力装置１５１は、例えばキーボード、マウス、マイク等の入力デバイスである。
【００３３】
処理部１３２は、少なくとも画像データ生成手段である画像データ生成部１３４と、位置特定手段である位置特定部１３５と、モータ１１に駆動制御を行うモータ制御部１３６と、タグ読取手段であるタグ読取部１３７とを有する。また、処理部１３２は、ＲＡＭ、ＲＯＭ等のメモリとＣＰＵ（Central Processing Unit）とにより構成されている。画像読取装置１−１によるカード１００の読取対象面１０１の読み取りの際には、処理部１３２が画像読取プログラムを処理部１３２の図示しないメモリに読み込んで演算を行う。また、画像読取装置１−１によるカード１００に埋め込まれた電子タグ１０２の情報の際には、処理部１３２がタグ読取プログラムを処理部１３２の図示しないメモリに読み込んで演算を行う。なお、処理部１３２は、記憶部１３３と接続されており、適宜演算途中の数値を記憶部１３３に格納し、格納した数値を適宜記憶部１３３から取り出して演算を行う。
【００３４】
また、処理部１３２が演算することで、生成された全読取画像データや、受信された電子タグ１０２の情報などは、入出力部５１を介してパーソナルコンピュータ１５の出力装置１５２により表示される。つまり、出力装置１５２は、画像読取装置１−１により読み取られたカード１００の読取対象面および電子タグ１０２の情報を表示することができる。ここで、出力装置１５２は、ＣＲＴ（Cathode Ray Tube）や液晶表示装置等である。また、生成された全読取画像データや、受信された電子タグ１０２の情報などは、図示しないプリンタに出力することができる。
【００３５】
画像データ生成部１３４は、スキャンセンサ６による載置面２の全領域の走査に基づいて全読取画像データを生成するものである。画像データ生成部１３４は、上記画像読取面１０１の情報を含む載置面２の全領域の情報に対応した露光ごとの読取画像データを生成し、生成された露光ごとの読取画像データに基づいて全読取画像データを生成するものである。なお、画像データ生成部１３４は、位置特定部１３５により載置面２に対するカード１００の位置が特定された場合に、全読取画像データから画像読取面１０１に対応した読取対象面データを生成しても良い。つまり、全読取画像データをクロッピングして読取画像データを生成しても良い。クロッピングは、画像読取装置１−１に接続されているパーソナルコンピュータ１５に生成された全読取画像データを出力し、パーソナルコンピュータ１５により行っても良い。
【００３６】
位置特定部１３５は、上記画像データ生成部１３４により生成された全読取画像データから載置面２に載置されたカード１００などの画像読取媒体の載置面２における位置を特定するものである。位置特定部１３５は、全読取画像データのうち、画像読取面１０１に対応する読取対象面データのエッジ部を抽出することで、全読取画像データのおける読取対象面データの位置を特定し、カード１００の載置面２における位置を特定するものである。なお、全読取画像データから画像読取面１０１に対応する読取対象面データのエッジ部を抽出する技術は、例えば全読取画像データを構成する画素の階調差に基づいて読取対象面データのエッジ部を抽出するなどのすでに開示された技術を用いる。
【００３７】
モータ制御部１３６は、モータ駆動回路１２を介してモータ１１の駆動制御を行うものである。モータ制御部１３６は、入出力部１３１を介してモータ駆動回路１２に接続されており、モータ駆動回路１２にモータ駆動制御信号を出力する。従って、モータ駆動回路１２は、モータ制御部１３６が出力したモータ駆動制御信号に基づいてモータ１１の駆動を行う。
【００３８】
タグ読取部１３７は、送信コイル７を駆動すると共に、電子タグ１０２の情報を読み取るものである。タグ読取部１３７は、入出力部１３１を介して送信駆動回路８に接続されており、送信駆動回路８に送信コイル駆動制御信号を出力する。送信駆動回路８は、タグ読取部１３７が出力した送信コイル駆動制御信号に基づいて送信コイル７の駆動を行う。また、タグ読取部１３７は、入出力部１３１を介して受信回路１０に接続されており、受信回路１０から出力された受信コイル９が受信した信号が入力される。タグ読取部１３７は、入力された受信コイル９が受信した信号に基づいて電子タグ１０２の情報を読み取る。
【００３９】
記憶部１３３には、本発明にかかる画像読取装置１−１の画像およびタグ読取方法が組み込まれた読取プログラムが格納されている。ここで、記憶部１３３は、ハードディスク装置等の固定ディスク装置、フレキシブルディスク、光磁気ディスク装置、またはフラッシュメモリ等の不揮発性のメモリ（ＣＤ−ＲＯＭ等のような読み出しのみが可能な記憶媒体）や、ＲＡＭ（Random Access Memory）のような揮発性のメモリ等のストレージ手段、あるいはこれらの組み合わせにより構成することができる。また、記憶部１３３は、処理部１３２内に設けられていても良いし、他の装置（例えば、データベースサーバ）内に設けられていても良い。また、パーソナルコンピュータ１５から、画像読取装置１−１に有線、無線のいずれかの方法でアクセスすることができる構成であっても良い。
【００４０】
また、上記読取プログラムは、必ずしも単一的に構成されるものに限られず、パーソナルコンピュータ１５にすでに記憶されているプログラム、例えばＯＳ（Operating System）に代表される別個のプログラムと協働してその機能を達成するものであっても良い。また、図１に示す処理部１３２の機能を実現するための読取プログラムをコンピュータ読み取り可能な記録媒体に記憶して、記録媒体に記録された読取プログラムをパーソナルコンピュータ１５に読み込ませ、実行することにより本発明にかかる画像読取装置１−１による画像読取媒体であるカード１００の読取対象面１０２の読み取りおよび電子タグ１０２の情報の読み取りを実行しても良い。なお、ここでいう「パーソナルコンピュータ」とは、ＯＳや周辺機器などのハードウェアを含むものとする。
【００４１】
次に、実施の形態１にかかる画像読取装置１−１の動作について説明する。図３は、実施の形態１にかかる画像読取装置の動作フローである。まず、制御装置１３の処理部１３２は、走査の開始指令を受けたか否かを判断する（ステップＳＴ１０１）。ここでは、処理部１３２は、載置面２に載置されたカード１００の読取対象面１０２の読み取りの開始指令、すなわちスキャンセンサ６による載置面２の全領域の走査の開始指令を受けたか否かを判断する。例えば、ユーザーが入力装置１５１により、画像読取装置１−１に読み取りの開始を指示したか否かを判断する。
【００４２】
次に、処理部１３２は、走査の開始指令を受けていると判断すると、光源２、スキャンセンサ６を駆動する。また、モータ制御部１３６は、モータ１１の駆動制御を行う（ステップＳＴ１０２）。ここでは、処理部１３２は、光源４を光源駆動回路５により駆動し、光源４から載置面２に向けて光を照射させる。また、処理部１３２は、スキャンセンサ６を所定の露光周期で駆動する。また、モータ制御部１３６は、モータ駆動回路１２にモータ駆動制御信号を出力し、モータ１１の駆動を行い、キャリッジ３を載置面２に対して移動させる。つまり、光を載置面２に照射している光源４および所定の露光周期で駆動しているスキャンセンサ６は、キャリッジ３とともに載置面２に対して移動する。これにより、スキャンセンサ６が載置面２の全領域を走査する。なお、キャリッジ３は、スキャンセンサ６による載置面２の全領域の走査の開始前に載置面２の長手方向における両端部のうち、いずれか一方の端部に位置し、走査の開始とともに、一方の端部から他方の端部へ向かって移動し、走査の終了時に他方の端部に位置することとなる。
【００４３】
次に、制御装置１３の画像データ生成部１３４は、露光ごとの読取画像データを生成する（ステップＳＴ１０３）。ここでは、スキャンセンサ６は、露光ごとにスキャンセンサ６により撮像されたカード１００の読取対象面１０２の情報を含む載置面２の全領域の情報をＲ，Ｇ、Ｂ各成分のアナログ画信号から図示しない増幅回路およびＡ／Ｄ変換器を介してデジタル画信号に変換し、制御装置１３４に出力する。画像データ生成部１３４は、まずデジタル画信号に基づいて、露光ごとの読取画像データを生成する。ここで、画像データ生成部１３４により露光ごとに生成された読取画像データは、露光ごとの読取対象面１０２に対応した読取対象面データを含むものである。
【００４４】
次に、画像データ生成部１３４は、上記露光ごとに生成された読取画像データから全読取画像データを生成する（ステップＳＴ１０４）。生成された全読取画像データは、読取対象面に対応した読取対象面データを含んだものとなる。
【００４５】
次に、位置特定部１３５は、画像読取媒体であるカード１００の載置面２における位置を特定する（ステップＳＴ１０５）。ここでは、位置特定部１３５は、上記画像データ生成部１３４により生成された全読取画像データから画像読取面１０１に対応する読取対象面データのエッジ部を抽出することで、生成された全読取画像データのおける読取対象面データの位置を特定する。これにより、位置特定部１３５は、カード１００の載置面２における位置を特定する。
【００４６】
次に、モータ制御部１３６は、位置特定部１３５により特定された画像読取媒体であるカードの載置面２に対する位置に基づいてキャリッジ３を移動する（ステップＳＴ１０６）。ここでは、モータ制御部１３６は、位置特定部１３５により特定された画像読取媒体であるカードの載置面２に対する位置に基づいてキャリッジ３がカード１００と対向する位置まで移動するように、モータ制御信号をモータ駆動回路１２に出力する。従って、キャリッジ３は、モータ駆動回路１２がモータ制御信号に基づいてモータ１１を駆動することで、カード１００と対向する位置まで移動する。スキャンセンサ６による載置面２の全領域の走査の終了時にキャリッジ３が載置面２の長手方向における両端部のうち、いずれか他方の端部に位置している場合、キャリッジ３は、モータ１１の駆動により他方の端部から一方の端部へ向かって移動することとなる。これにより、受信コイル９は、位置特定部１３５により特定された画像読取媒体であるカード１００の載置面２に対する位置に基づいてキャリッジ３によりカード１００と対向する位置まで移動する。
【００４７】
次に、タグ読取部１３７は、送信コイル７を駆動する（ステップＳＴ１０７）。ここでは、タグ読取部１３７は、受信コイル９がキャリッジ３によりカード１００と対向する位置まで移動した後、すなわち送信コイル７がキャリッジ３によりカード１００と対向する位置まで移動した後に、送信コイル駆動信号を送信駆動回路８に出力する。従って、送信駆動回路８が送信コイル制御信号に基づいて送信コイル７を駆動することで、送信コイル７が電波を送信する。このとき、送信コイル７が送信した電波をカード１００のアンテナ１０３が受信することで、電子タグ１０２が動作し、アンテナ１０３から記憶されている情報に基づいた信号を送信する。
【００４８】
次に、受信コイル９は、電子タグ１０２がアンテナ１０３により送信した電子タグ１０２の情報に基づいた信号を受信する（ステップＳＴ１０８）。
【００４９】
次に、タグ読取部１３７は、電子タグ１０２の情報を読み取る（ステップＳＴ１０９）。ここでは、タグ読取部１３７は、受信コイル９が受信し、受信回路１０においてフィルタ処理や増幅処理などが行われた信号に基づいて電子タグ１０２の情報を読み取る。
【００５０】
以上のように、実施の形態１にかかる画像読取装置１−１では、受信コイル９が位置特定部１３５により特定されたカード１００の載置面２における位置に基づいてキャリッジ３とともにカード１００と対向する位置まで移動した後、受信コイル９が受信した信号に基づいてタグ読取部１３７が電子タグ１０２の情報の読み取りを行う。従って、受信コイル９は、載置面２よりも狭いカード１００に埋め込まれた電子タグ１０２の情報に基づいた信号を受信する場合、電子タグ１０２に接近した状態で電子タグ１０２の情報に基づいた信号を受信することができる。これにより、載置面２に対する電子タグ１０２の位置に応じて受信コイル９の受信感度が低下することを抑制できるので、受信コイル９が受信した電子タグ１０２の情報に基づいた信号の出力が低くなることを抑制でき、カード１００の載置面２における位置に拘わらずタグ読取部１３７が電子タグ１０２の情報を確実に読み取ることができる。また、カバー１４を開いた状態でも、電子タグの情報を読み取ることができるので、読み取りにおけるユーザーの操作を低減できる。
【００５１】
なお、上記実施の形態１にかかる画像読取装置１−１では、受信コイル９をキャリッジ３により画像読取媒体であるカード１００と対向する位置まで移動させるが、受信コイル９が画像読取媒体であるカード１００と対向する位置までキャリッジ３により移動した後に、受信コイル９が信号を受信している状態で、受信した信号の出力が最大となるように、キャリッジ３により受信コイル９をさらに微笑距離移動させも良い。
【００５２】
［実施の形態２］
次に、実施の形態２にかかる画像読取装置１−２について説明する。図４は、実施の形態２にかかる画像読取装置の全体構成例を示す図である。図５は、実施の形態２にかかる画像読取装置の構成例を示す図である。図４、図５に示す実施の形態２にかかる画像読取装置１−２が図１、図２に示す実施の形態１にかかる画像読取装置１−１と異なる点は、送信コイル１７および受信コイル１８がキャリッジ３ではなくカバー１４に複数個設けられている点である。ここで、実施の形態２にかかる画像読取装置１−１の基本的構成は、実施の形態１にかかる画像読取装置１−１の基本的構成とほぼ同一であるため、同一箇所の説明は省略あるいは簡略化する。図４、図５に示すように、実施の形態２にかかる画像読取装置１−２は、載置面２と、キャリッジ３と、光源４と、スキャンセンサ６と、モータ１１と、制御装置１３と、送信コイル１７と、送信駆動回路１８と、受信コイル１９と、受信回路２０とにより構成されている。
【００５３】
送信コイル１７は、電力としての電波を送信するものである。送信コイル１７は、カバー１４に複数個設けられている。実施の形態２では、コイルを構成する銅線など電線が複数回巻かれることで、送信コイル１７がカバー１４に平面的に９個設けられている。各送信コイル１７は、すべての送信コイル１７で載置面２の全領域を覆うように形成されている。従って、載置面２に載置されたカード１００に埋め込まれた電子タグ１０２は、カバー１４が閉じられることで、いずれかの送信コイル１７と対向することとなる。また、各送信コイル１７は、載置面２に向かって電波を送信するものである。各送信コイル１７は、送信駆動回路１８に接続されている。各送信コイル１７の駆動は、送信駆動回路１８により行われる。送信駆動回路１８は、各送信コイル１７を全てあるいはそれぞれ駆動することができる。送信駆動回路１８は、制御装置１３と接続されており、制御装置１３により制御される。従って、各送信コイル７による電波の送信制御は、制御装置１３により行われる。
【００５４】
受信コイル１９は、カード１００の電子タグ１０２などの画像読取媒体に埋め込まれた電子タグの情報を受信するものである。受信コイル１９は、カバー１４に複数個設けられている。実施の形態２では、コイルを構成する銅線など電線が複数回巻かれることで、受信コイル１９がカバー１４に平面的に９個設けられている。ここで、各受信コイル１９は、各送信コイル１７とそれぞれ重なりあってカバー１４に設けられている。つまり、各受信コイル１９は、カバー１４が閉じられた状態で、載置面２、受信コイル１９、送信コイル１７の順番に積層されるように、カバー１４に設けられている。各受信コイル１９は、すべての受信コイル１９で載置面２の全領域を覆うように形成されている。従って、載置面２に載置されたカード１００に埋め込まれた電子タグ１０２は、カバー１４が閉じられることで、いずれかの受信コイル１９と対向することとなる。また、各受信コイル１９は、各受信コイル９に向かって送信された信号を受信するものである。各受信コイル１９は、受信回路２０に接続されている。各受信コイル１が受信した信号は、受信回路２０においてフィルタ処理や増幅処理などが行われる。受信回路２０は、制御装置１３と接続されており、フィルタ処理や増幅処理などが行われた各受信コイル９が受信した信号が制御装置１３に入力される。
【００５５】
次に、実施の形態２にかかる画像読取装置１−２の動作について説明する。図６は、実施の形態２にかかる画像読取装置の動作フローである。なお、実施の形態２にかかる画像読取装置の動作において、実施の形態１にかかる画像読取装置１−１の動作と同一部分は、省略あるいは簡略化して説明する。
【００５６】
まず、制御装置１３の処理部１３２は、走査の開始指令を受けたか否かを判断する（ステップＳＴ２０１）。
【００５７】
次に、処理部１３２は、走査の開始指令を受けていると判断すると、光源２、スキャンセンサ６を駆動する。また、モータ制御部１３６は、モータ１１の駆動制御を行う（ステップＳＴ２０２）。
【００５８】
次に、制御装置１３の画像データ生成部１３４は、露光ごとの読取画像データを生成する（ステップＳＴ２０３）。
【００５９】
次に、画像データ生成部１３４は、上記露光ごとに生成された読取画像データから全読取画像データを生成する（ステップＳＴ２０４）。
【００６０】
次に、位置特定部１３５は、画像読取媒体であるカード１００の載置面２における位置を特定する（ステップＳＴ２０５）。ここでは、位置特定部１３５は、上記画像データ生成部１３４により生成された全読取画像データから画像読取面１０１に対応する読取対象面データのエッジ部を抽出することで、生成された全読取画像データのおける読取対象面データの位置を特定する。
【００６１】
次に、タグ読取部１３７は、位置特定部１３５により特定された画像読取媒体であるカード１００の載置面２に対する位置に基づいて、各送信コイル１７のうち画像読取媒体であるカード１００と対向する近接送信コイル１７を駆動する（ステップＳＴ２０６）。ここでは、タグ読取部１３７は、各送信コイル１７のうちカード１００と対向する近接送信コイル１７のみを駆動することができる送信コイル駆動信号を送信駆動回路１８に出力する。従って、送信駆動回路１８が送信コイル制御信号に基づいて近接送信コイル１７を駆動するので、カード１００と対向する送信コイル１７のみが電波を送信する。これにより、各送信コイル１７をすべて駆動して、カード１００に埋め込まれた電子タグ１０２を動作させる場合と比較して、消費電力を抑制することができる。なお、近接送信コイル１７が送信した電波をカード１００のアンテナ１０３が受信することで、電子タグ１０２が動作し、アンテナ１０３から記憶されている情報に基づいた信号を送信する。
【００６２】
次に、各受信コイル１９は、電子タグ１０２がアンテナ１０３により送信した電子タグ１０２の情報に基づいた信号を受信する（ステップＳＴ２０７）。ここで、各受信コイル１９により受信された信号の出力は、電子タグ１０２が情報の信号を送信するアンテナ１０３との通信距離の増加に伴い低下する。従って、カード１００と対向する、特に電子タグ１０２の情報を送信するアンテナ１０３に対向する受信コイル１９により受信された信号が最も出力が大きくなる。
【００６３】
次に、タグ読取部１３７は、各受信コイル１９のうち画像読取媒体であるカード１００と対向する受信コイル１９が受信した信号に基づいて電子タグ１０２の情報を読み取る（ステップＳＴ２０８）。ここでは、タグ読取部１３７は、各受信コイル１９により受信され、受信回路２０においてフィルタ処理や増幅処理などが行われた信号のうち、位置特定部１３５により特定された画像読取媒体であるカード１００の載置面２に対する位置に基づいて、カード１００と対向する送信コイル１９により受信され、受信回路２０においてフィルタ処理や増幅処理などが行われた信号に基づいて電子タグ１０２の情報を読み取る。
【００６４】
以上のように、実施の形態２にかかる画像読取装置１−２では、各受信コイル１９のうち、位置特定部１３５により特定されたカード１００の載置面２における位置に基づいてカード１００と対向する受信コイル１９が受信した信号に基づいてタグ読取部１３７が電子タグ１０２の情報の読み取りを行う。つまり、受信コイル１９は、載置面２よりも狭いカード１００に埋め込まれた電子タグ１０２の情報に基づいた信号を受信する場合、電子タグ１０２に近接したカード１００と対向する受信コイル１９が電子タグ１０２の情報に基づいた信号を受信した信号に基づいてタグ読取部１３７が電子タグ１０２の情報の読み取りを行うことができる。従って、タグ読取部１３７は、各受信コイル１９が受信した信号のうち、信号の出力が大きいカード１００と対向する受信コイル１９が受信した信号に基づいて電子タグの情報の読み取りを行うことができる。これにより、タグ読取部１３７は、載置面２に対する電子タグ１０２の位置に応じて各受信コイル１９の受信感度が低い、すなわち受信した信号の出力が低い受信コイル１９が受信した信号に基づいて電子タグ１０２の情報の読み取りを行わないので、カード１００の載置面２における位置に拘わらずタグ読取部１３７が電子タグ１０２の情報を確実に読み取ることができる。
【００６５】
なお、上記実施の形態２にかかる画像読取装置１−２では、タグ読取部１３７の電子タグ１０２の情報の読み取りをカード１００の載置面２における位置に基づいてカード１００と対向する受信コイル１９が受信した信号に基づいて行うが、本発明はこれに限定されるものはない。例えば、各受信コイル１９が受信した信号から出力が大きい信号を選択して、選択した出力が大きい信号に基づいてタグ読取部１３７の電子タグ１０２の情報の読み取りを行っても良い。ここで、図７は、実施の形態２にかかる画像読取装置の他の動作フローである。ここで、実施の形態２にかかる画像読取装置の他の動作において、実施の形態２にかかる画像読取装置１−２の動作と同一部分は、省略あるいは簡略化して説明する。
【００６６】
まず、制御装置１３の処理部１３２は、走査の開始指令を受けたか否かを判断する（ステップＳＴ３０１）。
【００６７】
次に、処理部１３２は、走査の開始指令を受けていると判断すると、光源２、スキャンセンサ６を駆動する。また、モータ制御部１３６は、モータ１１の駆動制御を行う。また、タグ読取部１３７は、各送信コイル１７をすべて駆動する（ステップＳＴ３０２）。ここでは、タグ読取部１３７は、各送信コイル１７のすべてを駆動することができる送信コイル駆動信号を送信駆動回路１８に出力する。従って、送信駆動回路１８が送信コイル制御信号に基づいてすべての送信コイル１７を駆動するので、すべて送信コイル１７が電波を送信する。
【００６８】
次に、制御装置１３の画像データ生成部１３４は、露光ごとの読取画像データを生成する（ステップＳＴ３０３）。
【００６９】
次に、各受信コイル１９は、電子タグ１０２がアンテナ１０３により送信した電子タグ１０２の情報に基づいた信号を受信する（ステップＳＴ３０４）。つまり、電子タグ１０２がアンテナ１０３により送信した電子タグ１０２の情報に基づいた信号をすべての受信コイル１９が受信し、受信回路２０によりフィルタ処理や増幅処理などが行われた各受信コイル１９に対応する信号が制御装置１３に入力される。
【００７０】
次に、画像データ生成部１３４は、上記露光ごとに生成された読取画像データから全読取画像データを生成する（ステップＳＴ３０５）。
【００７１】
次に、タグ読取部１３７は、入力された受信コイル１９に対応する信号のうち出力が最大の信号を選択する（ステップＳＴ３０６）。上述のように、各受信コイル１９により受信された信号の出力は、電子タグ１０２が情報の信号を送信するアンテナ１０３との通信距離の増加に伴い低下する。つまり、各受信コイル１９により受信された信号の出力は、載置面２に対するカード１００の位置、特に電子タグ１０２の情報を送信するアンテナ１０３の位置に応じて異なるが、カード１００と対向する、特にアンテナ１０３と対向する受信コイル１９により受信された信号が最も出力が大きくなる。従って、タグ読取部１３７は、入力された受信コイル１９に対応する信号の出力に基づいてカード１００と対向する受信コイル１９を選択する。
【００７２】
次に、タグ読取部１３７は、各受信コイル１９のうち選択された信号の出力が最大の受信コイル１９が受信した信号に基づいて電子タグ１０２の情報を読み取る（ステップＳＴ３０７）。ここでは、タグ読取部１３７は、各受信コイル１９により受信され、受信回路２０においてフィルタ処理や増幅処理などが行われた信号のうち、信号の出力に基づいて選択されたカード１００と対向する送信コイル１９により受信され、受信回路２０においてフィルタ処理や増幅処理などが行われた信号に基づいて電子タグ１０２の情報を読み取る。
【００７３】
以上のように、タグ読取部１３７は、各受信コイル１９が載置面２よりも狭いカード１００に埋め込まれた電子タグ１０２の情報に基づいた信号を受信する場合でも、電子タグ１０２、特に電子タグ１０２の情報を送信するアンテナ１０３に近接した受信コイル１９が受信した信号に基づいて電子タグ１０２の情報の読み取りを行うことができる。これにより、タグ読取部１３７は、載置面２に対する電子タグ１０２の位置に応じて各受信コイル１９の受信感度が低い、すなわち受信した信号の出力が低い受信コイル１９が受信した信号に基づいて電子タグ１０２の情報の読み取りを行わないので、カード１００の載置面２における位置に拘わらずタグ読取部１３７が電子タグ１０２の情報を確実に読み取ることができる。
【００７４】
なお、上記実施の形態１，２では、受信コイル９，１９が電子タグ１０２の情報に基づいた信号を受信し、送信コイル７，１７が信号および電力としての電波を送信するが本発明はこれに限定されるものではない。電子タグ１０２の情報に基づいた信号の受信および信号および電力としての電波の送信を時間ごとに繰り返すことで、１つのコイルで行っても良い。つまり、１つコイルに時分割することで受信コイルとしての機能および送信コイルとして機能を持たせても良い。従って、電子回路の大型化を抑制でき、画像読取装置の小型化を図ることができる。
【産業上の利用可能性】
【００７５】
以上のように、本発明にかかる画像読取装置は、スキャンセンサにより、画像読取媒体の読取対象面を読み取る画像読取装置に有用であり、特に、画像読取媒体に埋め込まれた電子タグの情報を確実に読み取るのに適している。
【図面の簡単な説明】
【００７６】
【図１】実施の形態１にかかる画像読取装置の全体構成例を示す図である。
【図２】実施の形態１にかかる画像読取装置の構成例を示す図である。
【図３】実施の形態１にかかる画像読取装置の動作フローである。
【図４】実施の形態２にかかる画像読取装置の全体構成例を示す図である。
【図５】実施の形態２にかかる画像読取装置の構成例を示す図である。
【図６】実施の形態２にかかる画像読取装置の動作フローである。
【図７】実施の形態２にかかる画像読取装置の他の動作フローである。
【符号の説明】
【００７７】
１−１，１−２  画像読取装置
２  載置面
３  キャリッジ
４  光源
５  光源駆動回路
６  スキャンセンサ
７  送信コイル
８  送信駆動回路
９  受信コイル
１０  受信回路
１１  モータ
１２  モータ駆動回路
１３  制御装置
１３１  入出力部
１３２  処理部
１３３  記憶部
１３４  画像データ生成部（画像データ生成手段）
１３５  位置特定部（位置特定手段）
１３６  モータ制御部
１３７  タグ読取部（タグ読取手段）
１４  カバー
１５  パーソナルコンピュータ
１５１  入力装置
１５２  出力装置
１６  本体筐体
１７  送信コイル
１８  送信駆動回路
１９  受信コイル
２０  受信回路
１００  カード（画像読取媒体）
１０１  読取対象面
１０２  電子タグ
１０３  アンテナ
【図１】
2008227933.tif 000003
【図２】
2008227933.tif 000004
【図３】
2008227933.tif 000005
【図４】
2008227933.tif 000006
【図５】
2008227933.tif 000007
【図６】
2008227933.tif 000008
【図７】
2008227933.tif 000009